(57)【要約】      （修正有）【課題】軟弱地においても抜けにくく、また硬い地面に途中まで打ち込んだ場合にも簡単に抜き取ることができるネットやテント等の下部を固定する固定装置を提供する。【解決手段】固定装置は、アンカー１と、固定具２から構成され、アンカー１は、頭部１１と、頭部１１から垂直方向に延びたらせん形状を有するらせん部１２とを有し、固定具２は、平面形状の基部２１と、基部２１に設けられ、アンカー１のらせん部１２が挿入可能且つ上記アンカー１の頭部１１が挿入できない大きさの開口であるアンカー挿入用開口２２と、基部２１から垂直方向に伸びた脚部２３を有する。【選択図】図１
2015052233.tif 000002
【特許請求の範囲】
【請求項１】
地面に打設して用いるアンカーであって、
上記アンカーは、
頭部と、
当該頭部から略垂直方向に延びた軸部と、
当該軸部から略垂直方向に延びたらせん形状を有するらせん部と、
を有し、
上記軸部の径は上記らせん部の径よりも小さい
ことを特徴とするアンカー。
【請求項２】
地面に打設して用いるアンカーであって、
上記アンカーは、
頭部と、
当該頭部から略垂直方向に延びたらせん形状を有するらせん部と、
を有し、
上記らせん部は、途中でらせんの回転方向が逆転している
ことを特徴とするアンカー。
【請求項３】
上記らせん部は、
板状金属のひねり加工によって形成された
ことを特徴とする請求項１または２に記載のアンカー。
【請求項４】
請求項１から３のいずれかに記載のアンカーと、固定具から構成される固定装置であって、
上記固定具は、
上記アンカーのらせん部が挿入可能で且つ上記アンカーの頭部が挿入できない大きさの開口であるアンカー挿入用開口が設けられた基部と、
当該基部から下方に伸びた脚部と、
を有する
ことを特徴とする固定装置。
【請求項５】
上記固定具は、上記基部の一側面に上記アンカー挿入用開口に繋がる切り欠けを設けた
ことを特徴とする請求項４に記載の固定装置。
【請求項６】
請求項４または５に記載の固定装置を備えた
獣害防止用フェンス。
【請求項７】
地面に打設して用いる支柱であって、
請求項１から３のいずれかに記載のアンカーと、
上記アンカーの頭部に接合された支柱部と、を備えた
ことを特徴とする支柱。
【発明の詳細な説明】
【技術分野】
【０００１】
本発明は、ネットやテント等の下部を地面に固定するためのアンカーを備えた固定装置に関するものであり、特に、獣害防止用フェンスに設けられるネットの固定に適した固定装置に関するものである。また、地面に容易に打設できる支柱や、建設用に使用可能なアンカーに関するものである。
【背景技術】
【０００２】
山林に生育するイノシシ等の大型獣が、気候変化等の影響により山から下り、山間部の田畑に入り込み、水稲や果樹を食い荒らす等の被害が増加している。こういった農家への被害を防止するために、獣害防止用フェンスが設置されている。
【０００３】
フェンスを構成するネットは、剛性を保つために通常は比較的太い鋼線を用いて構成される。しかし、大型獣がネットに衝突することで、ネットが屈曲する等の損傷を避けるために、フェンスの下部分には細い銅線等で構成した柔らかいネットが用いられることも多い。そして、このネットの下部はアンカーピン等によって地面に固定されることで、イノシシ等がネットを持ち上げて侵入することを防止している。例えば、図１２に示すような、ピンの側方に抜け防止の突起を施した樹脂製のものが使用されている。
【０００４】
また、大型獣がネットの下部の地中に穴を掘って、フェンス内に侵入することを防止するため、ネットをフェンスの側方に延設することで、穴を掘ることを防止する構成も広く用いられている。すなわち、大型獣が穴を掘ろうとしても、自らがネットの上にいるため、穴を掘ることができない構成である。
【０００５】
このような構成において、フェンスの側方に延設されたネットの下を大型獣がくぐることを防止するため、アンカーピンを地中に打ち込むことで、この側方に延設されたネットを地面に固定する構成が提案されている。この構成においては、アンカーピンの上部は逆釣り針状の形状を有し、この部分でネットを押さえるようになっている（例えば、特許文献１、特に図１）。
【先行技術文献】
【特許文献】
【０００６】
【特許文献１】特開２００１−２４５５４６
【発明の概要】
【発明が解決しようとする課題】
【０００７】
しかしながら、特許文献１に示されるアンカーピンにおいては、アンカーピンを打ち込む地面が軟弱である場合、簡単に抜けてしまうという問題があった。特に、大型獣がネットを持ち上げようとした場合には、軟弱な地面でなくとも抜ける惧れがあった。
さらに、ネットをアンカーピン上部の逆釣り針状部で押さえているだけなので、わずかにアンカーピンが浮いた場合や、アンカーピンの周囲を大型獣が掘った際に、ネットが逆釣り針状部から抜けてしまうという問題もあった。
【０００８】
また、図１２に示したピン側方に抜け防止を施したアンカーピンを用いた場合であっても、軟弱な地面の場合には、抜けを防止することが十分ではなかった。
さらに、アンカーピンを打ち込む地面が、ある深さから急に硬くなっているような場合、アンカーピンの先の一部のみが硬い部分に打ちこまれた状態になり、それ以上は打ちこめなくなるケースもある。こういった場合には、一旦アンカーピンを抜いてから別の場所に打ち込むことで問題を解決できる。しかしながら、ピン側方に設けられた抜け防止により、アンカーピンを抜くことができなくなるケースも多く、アンカーピンが中途半端に打ちこまれた状態で放置したり、無理やり上部を曲げる等の不適切な処置をせざる負えない場合も生じていた。
【課題を解決するための手段】
【０００９】
本発明の請求項１に係る地面に打設して用いるアンカーは、頭部と、当該頭部から略垂直方向に延びた軸部と、当該軸部から略垂直方向に延びたらせん形状を有するらせん部とを有し、上記軸部の径は上記らせん部の径よりも小さいことを特徴とするものである。
【００１０】
本発明の請求項２に係る地面に打設して用いるアンカーは、頭部と、当該頭部から略垂直方向に延びたらせん形状を有するらせん部とを有し、上記らせん部は、途中でらせんの回転方向が逆転していることを特徴とするものである。
【００１１】
本発明の請求項３に係る地面に打設して用いるアンカーは、らせん部が、板状金属のひねり加工によって形成されたことを特徴とするものである。
【００１２】
本発明の請求項４に係る固定装置は、アンカーと、固定具から構成されるものであり、固定具は、アンカーのらせん部が挿入可能で且つ上記アンカーの頭部が挿入できない大きさの開口であるアンカー挿入用開口が設けられた基部と、当該基部から下方に伸びた脚部とを有することを特徴とするものである。
【００１３】
本発明の請求項５に係る固定装置は、基部の一側面に上記アンカー挿入用開口に繋がる切り欠けを設けたことを特徴とするものである。
【００１４】
本発明の請求項６に係る獣害防止用フェンスは、上記のいずれかの固定装置を備えたことを特徴とするものである。
【００１５】
本発明の請求項７に係る地面に打設して用いる支柱は、アンカーと、上記アンカーの頭部に接合された支柱部とを備えたことを特徴とするものである。
【発明の効果】
【００１６】
本発明に係る固定装置は上記のように構成されるため、地中に打ち込まれる部分がらせん形状を有し、軟弱な地盤であっても容易に抜けることは無い。
また、硬い部分に打ち込んで途中で止まってしまった場合には、ねじを緩める要領でアンカーを回転させて容易に抜き去ることが可能である。
【図面の簡単な説明】
【００１７】
【図１】本発明に係るネット固定装置を構成する部品斜視図であり、（ａ）はアンカー、（ｂ）はネット固定具である。
【図２】本発明に係るネット固定装置を用いて固定された獣害防止柵である。
【図３】本発明に係るネット固定装置の使用方法を説明するための第一の図である。
【図４】本発明に係るネット固定装置の使用方法を説明するための第二の図である。
【図５】本発明に係るネット固定装置の使用方法を説明するための第三の図である。
【図６】本発明に係るネット固定装置の使用方法を説明するための第四の図である。
【図７】本発明の実施の形態２に係るアンカーの斜視図である。
【図８】本発明の実施の形態３に係るネット固定装置を構成する部品斜視図であり、（ａ）はアンカー、（ｂ）はネット固定具である。
【図９】本発明の実施の形態４に係るアンカーの斜視図である。
【図１０】本発明の実施の形態５に係るアンカーの頭部付近斜視図である。
【図１１】本発明の実施の形態６に係る支柱の斜視図である。
【図１２】従来のアンカーピンの構成を示す参考図である。
【発明を実施するための形態】
【００１８】
実施の形態１．
本発明の実施の形態１に係る固定装置の構成等に関して、以下において、図面を用いて説明する。なお、以下の説明は本発明に関する良好な一例を開示するものであり、本発明が当該実施の形態に限定されるものではない。
【００１９】
まず、固定装置の構成について詳述する。
図１は、固定装置を構成する部品の斜視図であり、構成部品は、アンカー１と固定具２である。
【００２０】
アンカー１は、地中に打ち込まれるアンカーピンと同様のものであり、頭部１１と、この頭部１１から略垂直下方に伸びるらせん形状を有するらせん部１２から構成される。らせん部１２は、平面長方形形状の金属板をひねり加工によってらせん状にしたものである。このように、金属板のひねり加工によって形成されるため、剛性が高く、径を小さくしても十分な強度が得られる。径が小さければ、アンカー１を地中に打ち込む際の抵抗が小さくなり、弱い力でも打ちこむことが可能となる。
【００２１】
頭部１１は、アンカー１を地中に打ち込む際に、ハンマー等で打たれる部分であるため、平面形状であることが望ましい。この頭部１１とらせん部１２とは、溶接等によって接合される。あるいは、頭部１１と平面長方形形状の金属板とが一体加工品であって、平面長方形形状部分にひねり加工を施してらせん部１２を形成しても良い。
【００２２】
固定具２は、基体２１と、この基体２１に開けられた開口であるアンカー挿入用開口２２、および基体２１の下方に設けられた脚部２３からなる。
アンカー挿入用開口２２は、アンカー１のらせん部１２が挿入可能な開口であり、且つ、アンカー１の頭部１１は挿入できない大きさの開口である。したがって、アンカー１のらせん部１２をアンカー挿入用開口２２の上から挿入した際には、頭部１１の下面が基体２１の上面に接触する。
【００２３】
また、脚部２３は、地中に埋まる部分であり、この部分がスムースに地中に埋まるためには、脚部２３は、基体２１から下方に伸びる構成が望ましい。本実施の形態においては脚部２３を２本設けているが、基本的には１本だけでも良いし、３本以上であっても良い。脚部２３は、地中に埋まった際にネットを押さえる働きをするが、脚部２３が一本の場合には、脚部２３とアンカー１のらせん部１２との間にネットを入れれば、ネットの動きをこの間隔内に制限することができる。また、脚部２３は、基体２１から垂直下方に伸びていても良いし、垂直方向から少し斜めに開いた角度に伸びていても良い。
【００２４】
この固定装置は、ネットやテント等の下部を固定するために用いることができる。ここでは、獣害防止用フェンスに設けられるネットを固定した例を図２を用いて説明する。
獣害防止用フェンスは、２本の支柱３とその間に設けられる上部ネット４、および下部ネット５から構成される。上部ネット４は比較的太い鋼線で形成されたネットであり、他方、下部ネット５は細い鋼線で形成されたネットである。
【００２５】
大型獣がこのフェンスに衝突する際には、比較的柔軟な下部ネット５に衝突するため、衝突後は下部ネット５は元の形状に戻り、ネットの屈曲等の変形が生じにくい構成となっている。
また、下部ネット５は、その下方が２本の支柱３の下端から側方に地上に沿って延伸した下部ネット延伸部５ａを有する構成になっている。これは、大型獣がネットの下に穴を掘ってフェンスの向こう側に入ることを防ぐためである。
【００２６】
そして、この下部ネット延伸部５ａの末端を固定装置を用いて地面に固定することで、大型獣が下部ネット延伸部５ａを持ち上げて侵入することを防止できる。
なお、固定装置を用いることができる獣害防止用フェンスは、図２に示した構成に限られることはなく、ネットの下部を地面に固定するタイプの獣害防止用フェンス全般に使用可能である。
【００２７】
次に図３から図６を用いて、固定装置の地面への打ち込み方法を説明する。
まず、打ち込みたい場所を決める。例えば、地面の上にネットの下部が垂れた状態において、固定したい下部ネット延伸部５ａの１本のネットをまたぐ様に、脚部２３を下にして固定具２を置く。そして、アンカー１のらせん部１２を垂直に固定具２のアンカー挿入用開口２２に挿入する。この状態で、ハンマー等によってアンカー１の頭部１１を打ち込む（図３）。アンカー１が打ち込まれる土壌が比較的硬い場合には、アンカー１は回転しながら土壌に打ち込まれる。そのため、比較的弱い力で打ち込むことが可能である。
【００２８】
アンカー１のらせん部１２を半分程度、地中に打ち込んだ状態が図４である。さらに打ち込むと、アンカー１の頭部１１の下面が固定具２の基体２１の上面に達する（図５）。この状態から打ち込みを続けると、アンカー１の頭部１１の下面が固定具２の基体２１の上面を押すことで、固定具２の脚部２３が地中に打ち込まれ、打ち込みが完了する（図６）。
【００２９】
以下において、実施の形態１に係る固定装置と、それを用いた際の獣害防止用フェンスの特長についてまとめる。
第一に、打ち込みが完了した図６の状態では、大型獣が下部ネット延伸部を強い力で持ち上げようとしても、アンカーがしっかりと地中に埋まり、下部ネット延伸部を持ち上げることは困難である。なぜなら、アンカーのらせん部は、その全長に渡り、地中の土壌としっかりとかみ合い、上方向に引き抜くためには大きな力が必要であるためである。
なお、土壌が極めて柔らかい場合には、らせん部を長くしてやれば良い。
【００３０】
第二に、固定具がネットをしっかりと囲い込んでいるため、大型獣がネット固定具の周囲を掘った場合でも、固定具の内側を掘ることは難しく、したがってネットは固定具から簡単には外れない。
【００３１】
第三に、アンカーの打ち込み部分をらせん形状にしたことで、どのような場合でも弱い力でアンカーを引き抜くことができる。例えば、地面がある深さから急に硬くなっているような土壌において、アンカーをある深さまでしか打ち込むことができず、且つらせん部の先端が硬い部分に入ってしまっていて上方に引き抜けない場合には、アンカーの頭部を持って、ねじを緩める要領でアンカーを回転させてやれば、弱い力でも引き抜くことができる。
【００３２】
なお、固定部のアンカー挿入用開口の大きさをできるだけ小さくし、アンカーのらせん部がギリギリ挿入できる程度の大きさにすれば、固定部とアンカーのらせん部が供回りするようになるため、ネット固定部を回転させて、アンカーを引き抜くことができるようにすることも可能である。例えば、図４や図５のように、固定部が地中に埋まっていない状態においては、固定部を回転させて、アンカーを引き抜くことができる。
【００３３】
第四に、アンカーのらせん部が板状金属のひねり加工によって形成されているので、剛性が高く、アンカーの径を小さくしても十分な強度が得られる。そのため、打ちこみ時の地面との抵抗が小さくなり、弱い力でも地中に打ち込むことができる。さらに、アンカーが回転しながら地中に打ち込まれるので地面との抵抗が小さくなり、この観点からも、弱い力でも地中に打ち込むことができる。
【００３４】
以上に説明した多くの特長を持つ固定装置は、獣害防止用フェンスのネットを固定するために最適な装置であることについて説明する。
まず、獣害防止用フェンスの場合、大型獣が強力な力でネットを持ち上げようとすることに留意しておく必要がある。そこで、地中に打ち込んだアンカーがその強力な力によっても容易に抜けないことが絶対条件である。
【００３５】
例えば、図１２に示した従来のアンカーピンの場合、上方に引き抜く際に抵抗となるのは、ピンの周囲に設けた突起部分だけであるが、本発明の固定装置においては、アンカーのらせん部全長に渡ってらせんが形成されているため、抵抗となる総面積は著しく大きくなり、引き抜くことは著しく困難となる。
【００３６】
次に、獣害防止用フェンスの場合、大型獣がネットの下部付近を掘り起こして、ネットの固定が外れてしまうことも考慮する必要がある。本発明のネット固定装置においては、ネットを押さえている固定部が、抑えているネット部分を囲む構成になっているので、大型獣が固定部の内側を掘ることができず、したがって、固定部から容易にネットが外れることは無い。
【００３７】
また、通常、獣害防止用フェンスはかなり長い距離に渡って設けられるため、いろいろな土壌部分でネットの固定を行う必要がある。例えば、ある深さから急に硬くなっているような土壌にアンカーを打ち込む場合もあり、途中で止まってしまう危険性があることは前述のとおりである。
【００３８】
イベント用の小屋やテントといった一時的な設置物の場合には、アンカーが途中で止まっても、そのまま放置することも可能である。しかし、獣害防止用フェンスは長期間に渡って常設するため、アンカーが途中で止まった状態にしておくと、それによって人が足を怪我する等の惧れがあるため、放置することができない。そのため、ねじを緩める要領で簡単にアンカーを抜くことができることは、獣害防止用フェンスにとって必要な機能である。
【００３９】
以上に、述べたように、本実施の形態に係る固定装置は、獣害防止用フェンスのネット下部を固定する装置として良好な特長を有している。
【００４０】
実施の形態２．
本発明の実施の形態２に係る固定装置の構成等に関して、以下において、図面を用いて説明する。なお、以下の説明は本発明に関する良好な一例を開示するものであり、本発明が当該実施の形態に限定されるものではない。
【００４１】
実施の形態２に係る固定装置と実施の形態１に係る固定装置の構成上の相違点は、アンカーの土壌に打ち込まれる部分の形状である。
実施の形態１においては、アンカー１の土壌に打ち込まれる部分は一方向にねじられたらせん形状を有していた。他方、本実施の形態においては、図７に示すように、アンカー１０１の土壌に打ち込まれる部分は、途中からねじれの方向が逆転している。
【００４２】
頭部１１１から略垂直下方に伸びる最初の部分は、反時計回りにねじられたらせん形状を有する逆らせん部１１３であり、遷移部１１４から下は、時計回りにねじられたらせん形状を有するらせん部１１２である。
なお、この形状は、実施の形態１におけるアンカー１と同様に、平面長方形形状の金属板にひねり加工を施すことによって形成できる。途中でひねり方向を逆転して加工すれば良い。
【００４３】
このアンカー１０１を土壌に打ち込む方法は、実施の形態１に述べた方法と基本的に同様である。
アンカー１０１を比較的硬い土壌に打ち込むと、アンカー１０１は、らせん部１１２のらせん方向に回転しながら打ち込まれていく。逆らせん部１１３が土壌に入った後においても、アンカー１０１は、らせん部１１２のらせん方向に回転しながら打ち込まれていく。これは、どの深さにおいても、新たに土壌を掘り進む部分はアンカー１０１の先端部であるらせん部１１２であるため、このらせん部１１２のらせん方向に回転しながら、アンカー１０１は土壌内に打ち込まれる。
【００４４】
アンカー１０１を土壌に完全に打ち込んだ後に、打ち込んだ付近の地面を足で軽く踏み固めるようにすると、アンカー１０１の土壌への定着がより強固になる。
アンカー１０１が完全に土壌内に打ち込まれた状態において、逆らせん部１１３の周りの土壌は比較的柔らかい状態になっている。これは、らせん部１１２が通過する際には、そのらせん形状に適合する形状で土壌が切り取られ、その後、逆らせん部１１３が通過する際には、その形状が壊されるために比較的柔らかい状態になると考えられる。そこで、打ち込んだ付近の地面を足で踏み固めることによって、この比較的柔らかい状態の土壌が、逆らせん部１１３のらせん形状に適合する形状に固めることができる。
【００４５】
このアンカー１０１を固定具２に挿入して比較的硬い地面に打ち込んだ。そして、固定具２を持ち上げるようにして引き抜き試験を行った結果、実施の形態１におけるアンカー１に比べて、引き抜くために約２倍の力が必要であることが分かった。すなわち、実施の形態１に開示したアンカー１に比べても、アンカー１０１はさらに強固に地面に固定されることが実証された。この理由について、以下に説明する。
【００４６】
実施の形態１に開示したアンカー１の場合には、引き抜こうとするとアンカー１が回転しながら上昇する。すなわち、土壌に形成されたねじ穴に沿って回転しながら地面から抜け出てくる。
一方、アンカー１０１の場合には、引き抜き時にアンカー１０１は回転することは無く、真っ直ぐに引き抜かれる。これが、大きな力でないとアンカー１０１を引き抜けない理由である。
すなわち、アンカー１０１は逆方向にねじれた２つのらせん構造を有するため、引き抜く際に回転しながら引き抜かれることが無く、したがって、より大きな力で真っ直ぐに引き抜く必要がある。
この特長は、特に長期間に渡ってフェンス等を固定する際に顕著になる。例えば、フェンスの場合、人がフェンスを押した場合に、アンカーを持ち上げる方向に力が働く。このような持ち上げる方向の力が繰り返しアンカーに掛かると、アンカー１は少しずつ回転しながら、地面から抜けてくる。一方、アンカー１０１では、逆らせん部１１３が回転を防止する働きを持つため、回転しながら地面から抜け出ることは無い。さらに、らせん部１１２およびらせん部１１３が真っ直ぐに引き抜く際の大きな抵抗となる点は、アンカー１と同様である。
【００４７】
なお、実施の形態１で述べたアンカー１の特長は、アンカー１０１も同様に有する。
例えば、地面がある深さから急に硬くなっているような土壌において、アンカーをある深さまでしか打ち込むことができず、且つらせん部の先端が硬い部分に入ってしまっていて上方に引き抜けない場合には、アンカーの頭部を持って、ねじを緩める要領でアンカーを回転させてやれば、弱い力でも引き抜くことができる点について、実施の形態１において述べた。アンカー１０１のように、逆方向にねじれた２つのらせん構造を有するアンカーにおいても、同様に弱い力で引き抜くことができる。なぜなら、非常に硬い部分に入るのはアンカー１０１の先端部であるらせん部１１２である。逆らせん部１１３は土壌の中に入っていたとしても、その土壌は固められておらず、したがって、アンカーの頭部を持って、ねじを緩める要領でアンカーを回転させて、アンカー１０１を抜き取ることができる。
【００４８】
実施の形態２に係る固定装置は上記のように構成されているので、実施の形態１で述べた固定装置の特長を有するとともに、回転して抜けたり緩んだりすることがなく、より強固に地面に固定できるという、さらなる特長を有している。
【００４９】
特に、獣害防止用フェンスのネットを固定する際には、大型獣が固定具２を押したり、持ち上げようとしたとしても、アンカー１０１は回転しないため、非常に大きな力でなければ引き抜くことができない。
なお、獣害防止用フェンスのように長期間設置されるものについては、アンカー１０１を地面に打ち込んだ後に、その周りを足で踏み固める必要はない。降雨等によって、自然に地面が逆らせん部１１３に適合する形状に固められるためである。
【００５０】
実施の形態３．
本発明の実施の形態３に係る固定装置の構成等に関して、以下において、図面を用いて説明する。なお、以下の説明は本発明に関する良好な一例を開示するものであり、本発明が当該実施の形態に限定されるものではない。
【００５１】
実施の形態３に係る固定装置と実施の形態１に係る固定装置の構成上の相違点は、アンカーの土壌に打ち込まれる部分の形状である。
実施の形態１においては、アンカー１の土壌に打ち込まれる部分は一方向にねじられたらせん形状を有していた。他方、本実施の形態においては、図８（ａ）に示すように、アンカー２０１の土壌に打ち込まれる部分は、頭部２１１の直下に細い軸部２１３が設けられ、この軸部２１３の下にらせん部２１２が設けられている。
【００５２】
この軸部２１３の形状は、丸棒であっても良いし、板状であっても良い。大切なことは、軸部２１３の径がらせん部２１２の径よりも小さくなっていることである。ここで、軸部２１３の径とは、丸棒形状であればその直径であり、板状体等の場合にはその外接円の直径である。
【００５３】
このように、アンカー２０１の上部を細い軸部２１３とし、下部、すなわち先端部分を軸部２１３よりも太いらせん部２１２とすることで、柔らかい土壌に打ち込んだ際にも、アンカー２０１は比較的強固に地面に固定される。
柔らかい土壌の場合には、らせん部２１２による固定効果は硬い土壌の場合に比べて小さい。しかし、らせん部２１２の上部に細い軸部２１３を設けることで、それらの繋ぎ部分が、アンカー２０１を引き上げる際に土壌に引っかかるため、簡単には引き上げることができない。これは、繋ぎ部分よりも上にある土壌の重さが、引き抜く際の抵抗となるためであり、したがって、柔らかい土壌であっても、その重さを引き抜き抵抗として利用することができるためである。この観点から、軸部２１３はできるだけ長い方が良い。また、繋ぎ部分は土壌の荷重を受けやすい平面形状が望ましい。
柔らかい土壌だけではなく、もちろん硬い土壌においても、強固に固定できる。太いらせん部２１２が真っ直ぐに引上げる際に大きな引き抜き抵抗となり、また、細い軸部２１３の周りには、施工後時間を経るにしたがって硬く固まった土壌ができるため、軸部２１３が回転しながら上昇することを防止できる。
【００５４】
実施の形態３に係る固定装置は上記のように構成されているので、実施の形態１で述べた固定装置の特長を有するとともに、柔らかい地面に打ち込む場合には、より強固に地面内に固定できるという、さらなる特長を有している。
【００５５】
特に、獣害防止用フェンスはかなり長い距離に渡って設置する場合が多く、その場所は山間部の川沿い等の場合があり、硬い地面と柔らかい地面が混在するケースもしばしばある。そのため、本実施の形態で開示したアンカー２０１を用いれば、アンカーの種類を場所によって変更することなく、獣害防止用フェンスのネット下部を強固に固定することができる。
【００５６】
なお、固定具としては、実施の形態１において述べた固定具２を用いても良いし、図８（ｂ）に示すように、軸部２１３が横方向から挿入可能な切り欠け２２４を設けた固定具２０２を使用しても良い。このように切り欠け２２４を設けることで、アンカー２０１を途中まで地面に打ち込んだ後に、固定具２０２をアンカー２０１の軸部２１３に挿入可能であり、設置作業をより容易に行うことができる。また、同様に取り外し作業も容易に行うことができる。
【００５７】
実施の形態４．
本発明の実施の形態４に係る固定装置の構成等に関して、以下において、図面を用いて説明する。なお、以下の説明は本発明に関する良好な一例を開示するものであり、本発明が当該実施の形態に限定されるものではない。
【００５８】
実施の形態４に係る固定装置に用いるアンカー３０１を図９に示す。この図から分かるように、アンカー３０１は、実施の形態２で開示したアンカー１０１および実施の形態３で開示したアンカー２０１の両方の構成をミックスした構成となっている。
すなわち、アンカー３０１の土壌に打ち込まれる部分は、頭部３１１の直下に設けられた細い軸部３１５、および、この軸部３１５の下に設けられた途中でねじれ方向が逆転するらせん部である。
【００５９】
このようにアンカー３０１を構成したことで、本実施の形態に係る固定装置は、実施の形態１から実施の形態３において開示したすべての特長を併せ持つことが可能となる。すなわち、硬い土壌においては、実施の形態２で開示した固定装置と同様の強い固定力を示し、柔らかい土壌においては、実施の形態３で開示した固定装置と同様の強い固定力を発揮できる。
【００６０】
実施の形態５．
本発明の実施の形態５に係る固定装置の構成等に関して、以下において、図面を用いて説明する。なお、以下の説明は本発明に関する良好な一例を開示するものであり、本発明が当該実施の形態に限定されるものではない。
【００６１】
実施の形態５に係る固定装置と、実施の形態１から４で開示した固定装置との相違点は、アンカーの頭部の形状である。本実施の形態におけるアンカー４０１の頭部４１１は、六角ボルトの形状を有している。
このため、アンカー４０１を打ち込む際には、ハンマーによって打ち込むことも可能であるし、六角ボルト用のレンチを用いて締め込むようにして地中に打ち込むことも可能である。
また、打ち込んだアンカー４０１を地面から抜く際には、レンチを用いてボルトを緩める要領で引き抜くこともできる。
【００６２】
実施の形態６．
本発明の実施の形態６に係る支柱の構成等に関して、以下において、図面を用いて説明する。なお、以下の説明は本発明に関する良好な一例を開示するものであり、本発明が当該実施の形態に限定されるものではない。
【００６３】
実施の形態６に係る支柱は、実施の形態１から４で開示したいずれかのアンカーを地中に打設し、支柱を固定するものである。
図１１では、カーブミラー６や標識７を支柱５に取り付けた例を示している。支柱５は、支柱部５１とアンカー５２とからなる。支柱部５１とアンカー５２の頭部とは、嵌合やねじ止め、溶接等の方法によって接合されている。
【００６４】
図１１においては、アンカー５２は途中でらせんの回転方向が逆転しているものを図示しているが、実施の形態１から４で開示したいずれかのアンカーを用いても良い。
また、アンカー５２の頭部は、特に大きな形状である必要は無く、支柱部５１とを接合を行いやすい形状であれば良い。
【００６５】
支柱５を地面に打設する際には、支柱部５１を持って、回転させながら地中に打設してやれば良い。なお、道路が舗装されている場合には、打設部分の舗装を除去した後に、同様に支柱５を打設してやれば良い。
支柱の使用方法は、カーブミラーや標識に限らず、様々な用途に活用できる。
【００６６】
本発明に係る支柱５は、地中に打ち込まれる部分がらせん形状を有し、軟弱な地盤であっても容易に抜けることは無い。
また、硬い部分に打ち込んで途中で止まった場合には、ねじを緩める要領でアンカーを回転させて容易に抜き去ることが可能である。
【００６７】
実施の形態７．
実施の形態１から５においては、アンカーと固定具を用いた固定装置を開示したが、それぞれのアンカーは単独でも使用可能である。
例えば、軟弱地盤上に建造物を建てる際に、予め地盤にアンカーを打ち込んで、地盤を補強するために用いることができる。
また、土木工事等の際に、地中に埋設する建材を固定するアンカーピンとしても使用することが可能である。例えば、建材の四隅にアンカーが挿入できる穴を開けておき、そこにアンカーを打設することで、建材を簡単に固定することができる。
【００６８】
この場合も、アンカーの地中に打ち込まれる部分がらせん形状を有し、軟弱な地盤であっても容易に抜けることは無い。
また、硬い部分に打ち込んで途中で止まった場合には、ねじを緩める要領でアンカーを回転させて容易に抜き去ることが可能である、といった実施の形態１から５で述べた様々な特長を有する。
【符号の説明】
【００６９】
１．アンカー
２．固定具
５．支柱
１１．頭部
１２．らせん部
２１．基部
２２．アンカー挿入用開口
２３．脚部
５１．支柱部
５２．アンカー
１０１．アンカー
１１１．頭部
１１２．らせん部
１１３．逆らせん部
１１４．遷移部
２０１．アンカー
２１１．頭部
２１２．らせん部
２１３．軸部
２０２．固定具
２２１．基部
２２２．アンカー挿入用開口
２２３．脚部
２２４．切り欠け
３０１．アンカー
３１１．頭部
３１２．らせん部
３１３．逆らせん部
３１４．遷移部
３１５．軸部
４０１．アンカー
４１１．頭部
ＧＬ  地面
【図１】
2015052233.tif 000003
【図２】
2015052233.tif 000004
【図３】
2015052233.tif 000005
【図４】
2015052233.tif 000006
【図５】
2015052233.tif 000007
【図６】
2015052233.tif 000008
【図７】
2015052233.tif 000009
【図８】
2015052233.tif 000010
【図９】
2015052233.tif 000011
【図１０】
2015052233.tif 000012
【図１１】
2015052233.tif 000013
【図１２】
2015052233.tif 000014